(57)【要約】【課題】  操作性に優れた引戸用サブロック装置を提供する。【解決手段】  本発明の引戸用サブロック装置１において、ケース１１の上下左右の側壁２１、２３、２５、２７の室内側端面２１ａ、２３ａ、２５ａ、２７ａが引戸の室内側面７ａよりも室内側に突出してあり、ケース１１の上下の側壁２１、２３は引戸開閉方向の他方側端部３４に室外側に窪む凹部３２、３２を有し、凹部３２、３２は指先Ｓを挿入できる大きさであり、ストッパー９の室内側面９ａはケース１１の上下左右の側壁の室内側端面２１ａ、２３ａ、２５ａ、２７ａと略同一面にあり且つ上下の凹部３２、３２間を指先Ｓで押す操作部３６としてあり、ストッパー９の一方側端部３３をケース１１から室外側に突出する障子当接部としている。【選択図】      図１
2006241887.tif 000002
【特許請求の範囲】
【請求項１】
ストッパーと、ケースと、軸とを備え、ケースは室内側に開口して内周側に上下左右の側壁を有するストッパー収納部を有し、ストッパーは外周側にケースの上下の側壁に対向する上下の側壁を有し、ストッパー収納部に配置するものであり、軸はストッパーの上下の側壁の引戸開閉方向の中間部と、ケースの上下の側壁の引戸開閉方向の中間部とを連結するものであり、ケースの上下左右の側壁の室内側端面が引戸の室内側面よりも室内側に突出してあり、ケースの上下の側壁は引戸開閉方向の他方側端部に室外側に窪む凹部を有し、凹部は指先を挿入できる大きさであり、ストッパーの室内側面はケースの上下左右の側壁の室内側端面と略同一面にあり且つ上下の凹部間を指先で押す操作部としてあり、ストッパーの一方側端部をケースから室外側に突出する障子当接部としたことを特徴とする引戸用サブロック装置。
【発明の詳細な説明】
【技術分野】
【０００１】
本発明は、引戸が開くのを制限する引戸用サブロック装置に関する。
【背景技術】
【０００２】
一般に、引戸用サブロックは引戸の下框等に設けてあり、指先でストッパーを押す操作をするときには見え難い位置にあるため手探りでストッパー押すことが多く、しかも引戸用サブロック装置は小型でありケースの上下寸法は指先の大きさ程度である。
この種の引戸用サブロック装置において、特許文献１には、引戸の室内側面に取り付けたケース内に軸によりストッパーを軸着してあり、ストッパーの他方側端部を指先で押して没したときに一方側端部が室内側に突出して障子当接部にすることが開示されている。また、特許文献１においては、ストッパーの室内側面はケースの上下側壁の室内側端面と略同一面に位置している。
【０００３】
【特許文献１】特開平８−１２０９９１号公報
【発明の開示】
【発明が解決しようとする課題】
【０００４】
しかし、特許文献１の引戸用サブロック装置では、ストッパーの室内側面がケースの上下の側壁の室内側面と略同一の位置にあるので、ストッパーの他方側端部を指先で押して没しようとすると指がケースの上下の側壁にかかって、上下の側壁も一緒に押してしまい、ストッパーのみを押す操作がし難いという問題がある。
【０００５】
そこで、本発明は、操作性に優れた引戸用サブロック装置の提供を目的とする。
【課題を解決するための手段】
【０００６】
請求項１に記載の発明は、ストッパーと、ケースと、軸とを備え、ケースは室内側に開口して内周側に上下左右の側壁を有するストッパー収納部を有し、ストッパーは外周側にケースの上下の側壁に対向する上下の側壁を有し、ストッパー収納部に配置するものであり、軸はストッパーの上下の側壁の引戸開閉方向の中間部と、ケースの上下の側壁の引戸開閉方向の中間部とを連結するものであり、ケースの上下左右の側壁の室内側端面が引戸の室内側面よりも室内側に突出してあり、ケースの上下の側壁は引戸開閉方向の他方側端部に室外側に窪む凹部を有し、凹部は指先を挿入できる大きさであり、ストッパーの室内側面はケースの上下左右の側壁の室内側端面と略同一面にあり且つ上下の凹部間を指先で押す操作部としてあり、ストッパーの一方側端部をケースから室外側に突出する障子当接部としたことを特徴とする。
【発明の効果】
【０００７】
請求項１に記載の発明によれば、ストッパーの他方側端部を指先で押して没しようとするときに、引戸用サブロック装置の寸法が小さいために、指がケースの上下の側壁にかかってしまった場合でも、上下の側壁の他方側端部には凹みが設けてあり、上下の凹部間にストッパーの操作部が設けてあるので、上下の側壁が邪魔にならずにストッパーの操作部をそのまま押して没することができ、操作性が良い。
【０００８】
以下に、添付図面を参照して本発明の実施の形態を説明する。図１は本実施の形態にかかる引戸用サブロック装置を装着した引戸サッシの横断面図であり、ストッパーが室内側に突出した状態を示す図であり、図２（ａ）は本実施の形態にかかる引戸用サブロック装置を装着した引戸サッシを図１のＡ―Ａ位置で切断した断面図であり、（ｂ）は本実施の形態にかかる引戸用サブロック装置を装着した引戸サッシを室内側から見た正面図であり、図３は本実施の形態にかかる引戸用サブロック装置のケースの図であり、（ａ）は正面図、（ｂ）は（ａ）に示すＢ―Ｂ位置で切断した断面図であり、図４は本実施の形態にかかる引戸用サブロック装置のストッパーの図であり、（ａ）は平面図、（ｂ）は横断面図であり、図５は本実施の形態にかかるサブロック装置を装着した引戸サッシの横断面図であり、ストッパーが室内側に突出していない状態を示す図である。尚、図１において一点鎖線Ｖで示すのストッパーの上見込み壁部分を抜き出して示す横断面図であり、一点鎖線Ｗで示すのは、指による操作を示す正面図である。
本実施の形態にかかる引戸用サブロック装置１は、室外側引戸３の下框７の室内側面において、召合せ框５に近接した位置に固定してあり、不法侵入者により鍵やクレセント（メインロック）が外された場合でも室外側引戸３及び室内引戸４が開くのを制限するものである。
この引戸用サブロック装置１は、ストッパー９と、ケース１１と、軸１３とを備えており、ケース１１は室外側引戸３の下框７に固定してある。
ケース１１にはストッパー収納部１９が設けてある。ストッパー収納部１９は、内周側に上見込み壁（上側壁）２１と、下見込み壁（下側壁）２３と、上見込み壁２１と下見込み壁２３との間に設けた一方側壁（右側壁）２５及び他方側壁（左側壁）２７とを有し、室内側が開口した縦断面略矩形の空間を成している。一方側壁２５は引戸の開閉方向一方側にあり、他方側壁２７は開閉方向の他方側にある。
上見込み壁２１及び下見込み壁２３には、図３に示すように、一方側壁２５と他方側壁２７との間の略中央部に軸１３の取付け孔２９、２９が設けてあり、取付け孔２９、２９よりも一方側壁２５側には、各々収納空間内側に突出する係止突起３１、３１が設けてある。
上見込み壁２１と下見込み壁２３と他方側壁２７と一方側壁２５の各側壁の室内側端面２１ａ、２３ａ、２５ａ、２７ａは各々引戸３の室内側面７ａよりも室内側に突出してある。上見込み壁２１と下見込み壁２３には、各々引戸の開閉方向の一端部に室外側に円弧状に窪む凹部３２が設けてある（図１及び図３参照）。
ストッパー９はケース１１のストッパー収納部１９内に配置してあり、引戸の開閉方向一方側にある一方側端部３３と他方側にある他方側端部３４との間の中間部３５を軸１３によりケース１１内に軸着して一方側端部３３をケース外に突出自在としてある。ストッパー９の他方側端部３４は、上下の凹部３２、３２間が押し操作する操作部３６となっており、操作部３６を指先で没することにより一方側端部３３がケース１１から突出自在としてある。
ストッパー９は室内側面９ａがケース１１の上下の見込み壁２１、２３の室内側端面２１ａ、２３ａと略同一面にあり且つ引戸開閉方向の中間部をケースの上下の見込み壁２１、２３に軸１３により取り付けてあり、他方側端部３４を押したときに一方側端部３３が室内側に突出するようになっている。
ストッパー９には、外周にケース１１の上見込み壁２１に対向する上見込み壁面３７と、ケース１１の下見込み壁３９が設けてある。ストッパー９の上見込み壁３７及び下見込み壁３９には、各々係止突起３１が入り込む係止溝４１が室内外方向に長く設けてあると共に係止溝４１には案内溝４３が連続して設けてある。案内溝４３は、ストッパー９の一方側端部３３に開口して且つ引戸開閉方向に設けてあり、ストッパ−９の一方側端部３３の開口から案内溝４３に係止突起３１を係合自在になっている。
ストッパー９の一方側端部３３がケース１１から突出したときに、係止突起３１は係止溝４１を構成している溝壁のうち、室外側に位置する溝壁４５に当接する。尚、本実施の形態では、係止突起３１は係止溝４１と案内溝４３とが成すコーナに位置している。
【０００９】
次に、本実施の形態にかかる引戸用サブロック装置１の組立て、作用及び効果について説明する。
引戸用サブロック装置１の組立ては、ケース１１とストッパー９と軸１３との構成部品において、ストッパー９の案内溝４３の開口４３ａからケース１１の係止突起３１を挿入してケースのストッパー収納部１９内にストッパー９を組み入れ、係止突起３１を案内溝４３から係止溝４１に移動させて係止突起３１を係止溝４１に係合すると共にストッパー９をケース１１のストッパー収納部１９内に配置し、ケース１１とストッパー９を軸１３で固定する。
引戸用サブロック装置１は使用しない場合には、ストッパー９がケース１１のストッパー収納部１９内に収まっており、引戸の走行の邪魔にならない。
引戸用サブロック装置１を使用するときには、室内側からストッパー９の他方側端部３４の操作部３６を指Ｓで押して他方側端部３４をケース１１内に没する。これにより、ストッパー９は、軸１３を中心にして回動し、一方側端部３３がケース１１から室内側に突出する。突出した一方側端部３３は、室内側引戸４の移動軌跡上に位置して障子当接部となり、係止突起３１は係止溝４１の室外側の溝壁４５に当接する。
【００１０】
本実施の形態によれば、ストッパー９の他方側端部３４を指Ｓで押してケース内に没するときに、引戸用サブロック装置１の寸法が小さいために、指Ｓがケース１１の上下の側壁２１、２３にかかってしまった場合でも、上下の側壁２１、２３には凹部３２が設けてあるので、操作部３６を押し操作するときに、指Ｓがケース１１の上下の側壁２１、２３にかかったまま押して、他方側端部３４をケース１１内に没することができ、操作性が良い。
特に、引戸用ブロック装置１が下框７に取り付けてあり、操作し難い位置にある為に手探りで操作する場合にも、容易にストッパー９の他方側端部３４を押してケース１１内に没することができる。例えば、図６（ａ）〜（ｄ）に示すように、ケース１１の他方側壁２７側から指Ｓで操作部３６を押す操作する場合（ａ）や、他方側壁２７側の斜め上方から指Ｓで操作部３６を押し操作する場合（ｂ）や、斜め下側から指Ｓで操作部３６を押し操作する場合（ｃ）や、下から指Ｓで操作部３６を押し押し操作する場合等、いずれの方向から押し操作する場合でも、上下の凹部３２、３２間に操作部３６を設けることにより、他方側端部３４をケース内に容易に没することができる。
一方側端部３３がケース１１から室内側に突出して、障子当接部となっているときに、
不正解錠等によりメインロックやクレセントが外されて、室外側引戸３又は室内側引戸４が引かれると、ケースから室内側に突出しているストッパー９の一方側端部３３に戸が当って、室外側引戸３及び室内側引戸４が移動するのを制限する。このとき、ストッパー９の一方側端部３３が引戸の当接により力を受けるが、ストッパー９が受けた力は、軸１３が受けると共に、係止溝４１の溝壁４５に当接している係止突起３１も受ける。したがって、ストッパー９に作用する力を垂直溝１３と上下の係止突起３１とで、合計２箇所に分散するので、一箇所に力が集中して損傷するのを防止できる。
ストッパー９が受けた力が一箇所に集中しないから特別に強度の高い材質を用いる必要がないので、製造コストを安価にできる。
また、引戸用サブロック装置１は、ストッパー９を軸１３によりケース１１内に軸着してあり、ケース１１又はストッパー９に係止溝４１や突起３１を形成するだけであるから、構成が簡易であり且つ組立てが容易である。
引戸用サブロック装置１の組立て時には、ストッパー９の案内溝４３の開口４３ａからケース１１の係止突起３１を挿入して、係止突起３１を案内溝４３から係止溝４１に移動させてストッパー９をケース１１のストッパー収納部１９内に配置できるので、組み立てが容易である。
【００１１】
本発明は、上述した実施の形態に限らず、本発明の要旨を逸脱しない範囲で種々変形可能である。
例えば、凹部３２は円弧状に限らず、矩形の凹みであってもよく、形状は限定されない。
係止突起３１をストッパー９に設けて係止溝４１をケース１１に設けるものであってもよい。
引戸用サブロック装置１は、上框に取付けるものであってもよく、取付け位置は制限されない。
また、引戸用サブロック装置１は、例えば換気用に引戸を少しだけ開くときに、開き位置を制限するものであってもよく、使用目的は制限されない。
【図面の簡単な説明】
【００１２】
【図１】本実施の形態にかかる引戸用サブロック装置を装着した引戸サッシの横断面図であり、ストッパーが室内側に突出した状態を示す図である。
【図２】（ａ）は本実施の形態にかかる引戸用サブロック装置を装着した引戸サッシを図１のＡ―Ａ位置で切断した断面図であり、（ｂ）は本実施の形態にかかる引戸用サブロック装置を装着した引戸サッシを室内側から見た正面図である。
【図３】本実施の形態にかかる引戸用サブロック装置のケースの図であり、（ａ）は正面図、（ｂ）は（ａ）に示すＢ―Ｂ位置で切断した断面図である。
【図４】本実施の形態にかかる引戸用サブロック装置のストッパーの図であり、（ａ）は平面図、（ｂ）は横断面図である。
【図５】本実施の形態にかかるサブロック装置を装着した引戸サッシの横断面図であり、ストッパーが室内側に突出していない状態を示す図である。
【図６】本実施の形態にかかるサブロック装置におけるストッパーの他方側端部を示す正面図であり、異なる指位置による押し操作の態様を示す図である。
【符号の説明】
【００１３】
１      引戸用サブロック装置
９      ストッパー
９ａ    室内側面
１１    ケース
１３    軸
２１    上見込み壁（上側壁）
２１ａ  室内側端面
２３    下見込み壁（下側壁）
２３ａ  室内側端面
２５    一方側壁（右側壁）
２５ａ  室内側端面
２７    他方側壁（左側壁）
２７ａ  室内側端面
３２    凹部
３３    一方側端部
３４    他方側端部
３６    操作部
【図１】
2006241887.tif 000003
【図２】
2006241887.tif 000004
【図３】
2006241887.tif 000005
【図４】
2006241887.tif 000006
【図５】
2006241887.tif 000007
【図６】
2006241887.tif 000008